(57)【要約】      （修正有）【課題】姿勢の微調整が可能で、安土への差し込み、引き抜きを繰り返す必要がなく、また、矢が反れて的枠に衝突した場合にもその衝撃を吸収することが可能な弓道用の的串を提供する。【解決手段】的串１０は、安土に差し込む差し込み部１１と、的枠の裏側の一部に係合する係合部１２とは、それぞれ、分離しており、両者の間に隙間が形成されつつ、柔軟性材料１３によって結合されている。【選択図】図１
2014224625.tif 000002
【特許請求の範囲】
【請求項１】
的枠を安土の適切な位置及び姿勢に配置するための弓道用自在的串（１０）であって、
安土に差し込む差し込み部（１１）と的枠の裏側の一部に係合する係合部（１２）は、それぞれ、分離しており、両者の間に隙間が形成されつつ、柔軟性材料（１３）によって結合されている、ことを特徴とする弓道用自在的串（１０）。
【請求項２】
柔軟性材料（１３）が金属製板材あるいはプラスティック製板材であることを特徴とする請求項１に記載の弓道用自在的串。
【発明の詳細な説明】
【技術分野】
【０００１】
本発明は弓道において用いる的串あるいは侯串に関する。
【０００２】
全日本弓道連盟競技規則第３１条は、「射場の床面と安土敷は、原則として同一水平面とし、標的はその中心が安土敷より２７ｃｍの高さで、的表面が後方に５度の傾斜になるよう、侯串によって支える。その間隔は選手相互の間隔と同じとする。」と規定する。
【０００３】
図２は標的の配置についての説明図であり、（ａ）はその側面を表し、（ｂ）はその正面を表す。弓道場などの射場の壁４を背にして砂と土を混ぜて盛り上げ、前面を斜め平面に整えて安土３を形成する。安土３に的串１をほぼ水平に差し込み、その差し込み部を安土の中に置き、その係合部を安土の外に突出させる。係合部の端に設けた割れ目に的枠２ｃの裏側の一部を嵌めて、標的２を配置する。なお、的枠の表側には的紙２ａを貼り付ける。
【背景技術】
【０００４】
図３は従来の的串を示す概略図であり、（ａ）はその側面を表し、（ｂ）はその平面を表す。
【０００５】
従来の的串１は竹製あるいは木製の板材を削り、張り合わせたものである。張り合わせ部１ｄを補強するため、細糸を緻密に巻き付けることがある。従来の的串１は差し込み部１ａと係合部１ｂが一体に形成され、これらの間には隙間がない。差し込み部１ａの先端は、安土に差し込みやすいように尖っている。また、係合部１ｂの後端にはコの字形状の割れ目１ｃが形成されている。この割れ目１ｃに的枠の裏側の一部を嵌めて、的枠と係合する。
【０００６】
図４は的枠の概略図であり、（ａ）はその側面を表し、（ｂ）はその平面を表す。的枠８は、木製の板を曲げて丸い輪を形成し、接合部の厚さを端に向かって徐々に薄くし、重ね合わせ、鋲、木皮、ビニール紐など８１で固定している。
【発明の概要】
【発明が解決しようとする課題】
【０００７】
しかしながら、従来の的串は安土に差し込んだ後に、姿勢の微調整ができないので、適切な姿勢になるまで、差し込み、引き抜きを繰り返さなければならなかった。従来の的串は適切な姿勢に配置するのが困難であった。的串の差し込みと引き抜きを繰り返すことによって、安土に差し込み跡が残り、安土が荒れる問題もあった。
【０００８】
また、矢が反れて的枠に衝突した時に、的串がその衝撃を吸収することができず、的串や的枠の強度が不足し、的串や的枠や矢が破損することがあった。
【０００９】
的串を金属製やプラスティック製にすることも考えられるが、弓道の伝統的な美観と調和しないとともに、反射光が生ずると射手の目にまぶしく、的中を妨げる。
【課題を解決するための手段】
【００１０】
上記問題点は、請求項1に記載の本発明の弓道用自在的串、すなわち、的枠を安土の適切な位置及び姿勢に配置するための弓道用自在的串であって、安土に差し込む差し込み部と的枠の裏側の一部に係合する係合部が、それぞれ、分離しており、両者の間に隙間が形成されつつ、柔軟性材料によって結合されている、ことを特徴とする弓道用自在的串によって、解決される。
【００１１】
本発明の好ましい実施態様においては、請求項２に記載のように、柔軟性材料１３が金属製板材あるいはプラスティック製板材である。
【発明の効果】
【００１２】
本発明によれば、柔軟性材料を曲げることができるので、差し込み部を安土に差し込んだ状態で、係合部の向きを微調整でき、係合部に差し込み係合された標的の姿勢を微調整することができ、極めて容易に標的を配置することができる。また、その結果として、的串を何度も安土に差し込み、引き抜く必要がなく、安土が荒れることがない。
【図面の簡単な説明】
【００１３】
【図１】本発明の実施形態の弓道用自在的串を示す概略図であり、（ａ）はその側面を表し、（ｂ）はその平面を表す。
【図２】標的の配置についての説明図であり、（ａ）はその側面を表し、（ｂ）はその正面を表す。
【図３】従来の的串を示す概略図であり、（ａ）はその側面を表し、（ｂ）はその平面を表す。
【図４】的枠の概略図であり、（ａ）はその側面を表し、（ｂ）はその平面を表す。
【発明を実施するための形態】
【００１４】
以下、添付図面を参照して、本発明の実施形態について説明する。
【００１５】
図１は本発明の実施形態の弓道用自在的串を示す概略図であり、（ａ）はその側面を表し、（ｂ）はその平面を表す。
【００１６】
本発明の実施形態の弓道用自在的串１０は、差し込み部１１と係合部１２が分離されている。すなわち、差し込み部１１の後端１１ｂと係合部１２の前端１２ａとは離れており、隙間がある。隙間の寸法は７〜２０ｍｍが好ましい。
【００１７】
そして、差し込み部１１の貼り付け部分のうち後端１１ｂの側には、柔軟性材料１３の一端が挟まれ固定されている。同様に、係合部１２の貼り付け部分のうち前端１２ａの側には、柔軟性材料１３の他端が挟まれ固定されている。
【００１８】
本実施形態においては、柔軟性材料１３は、幅が的串の幅よりわずかに狭い板状であるが、同一の幅にしてもよい。他の実施形態においては、丸棒状の柔軟性材料を3本平行に幅方向に並べても良い。
【００１９】
柔軟性材料１３の材質としては、鉄、アルミニウム合金、チタン合金、銅合金などの金属を用いることができる。ただし、光が反射しないように表面を塗装処理や化成処理するのが良い。
【００２０】
別の実施形態においては、柔軟性材料１３の材質としてゴムやプラスティックを用いることができる。
【００２１】
本実施形態の自在的串によれば、図１から明らかなように、柔軟性材料１３が曲がりやすい。その結果、的串１０の姿勢を微調整することができる。
【００２２】
また、反れた矢が的枠に当たっても、その衝撃エネルギーの多くは柔軟性材料１３によって吸収され、矢や的枠に大きな衝撃が加わらず、矢や的枠が破損しにくい。
【００２３】
差し込み部１１の先端１１ａは、安土に差し込みやすいように尖っている。また、係合部１２の後端１２ｂにはコの字形状の割れ目１２ｄが形成されている。この割れ目１２ｄに的枠の裏側の一部を嵌めて、的枠と係合する。
【産業上の利用可能性】
【００２４】
本発明の的串は、弓道場の安土に標的を設置するのに用いることができる。
【符号の説明】
【００２５】
１  従来の的串
１ａ  差し込み部
１ｂ  係合部
１ｃ  割れ目
１ｄ  張り合わせ部
２  標的
２ａ  的紙
２ｂ  標的の中心
２ｃ  標的の側面（的枠）
３  安土
４  壁
５  床面
６  垂直線
７  的表面の傾斜
８  的枠
８１  鋲、木皮、ビニール紐など
１０  弓道用自在的串
１１  差し込み部
１１ａ  １１の先端
１１ｂ  １１の後端
１２  係合部
１２ａ  １２の前端
１２ｂ  １２の後端
１２ｄ  割れ目
１３  柔軟性材料
【図１】
2014224625.tif 000003
【図２】
2014224625.tif 000004
【図３】
2014224625.tif 000005
【図４】
2014224625.tif 000006